(57)【要約】【課題】積層した箔状の電極と端子が通電抵抗の低い状態で且つ充分な強度で接合された蓄電装置を提供する。【課題を解決するための手段】積層した箔状の電極を、端子の対向する一対の板部で挟み込み、端子の板部を塑性変形させて、いずれか一方の板部を間に挟み込まれた箔状の電極と共に他方の板部に没入させる。箔状の電極と端子は充分な強度で接合すると同時に、箔状の電極と端子が広い面積で圧着して、通電抵抗の低い状態が得られる。【選択図】  図４
2004273178.tif 000002
【特許請求の範囲】
【請求項１】
絶縁シートと正極シートと絶縁シートと負極シートの組が積層されており、絶縁シートの辺から正極シートの正電極箔が突出して正電極箔の積層が形成されており、正電極箔の積層とは異なる位置において絶縁シートの辺から負極シートの負電極箔が突出して負電極箔の積層が形成されている積層電極と、
正電極箔の積層に接合されている正極端子と、
負電極箔の積層に接合されている負極端子を有する蓄電装置であり、
正電極箔の積層は２層の板部の間に挟みこまれており、その２層の板部が塑性変形して一方の板部と正電極箔の積層が他方の板部に没入することによって正極端子に接合されており、
負電極箔の積層は２層の板部の間に挟みこまれており、その２層の板部が塑性変形して一方の板部と負電極箔の積層が他方の板部に没入することによって負極端子に接合されていることを特徴とする蓄電装置。
【請求項２】
長尺絶縁シートと長尺正極シートと長尺絶縁シートと長尺負極シートの組が捲回されており、長尺絶縁シートの一方の長辺から正極シートの正電極箔が突出して捲回中心の両側に正電極箔の積層が形成されており、長尺絶縁シートの他方の長辺から負極シートの負電極箔が突出して捲回中心の両側に負電極箔の積層が形成されている捲回電極と、
正電極箔の積層に接合されている正極端子と、
負電極箔の積層に接合されている負極端子を有する蓄電装置であり、
正極端子は、捲回電極の捲回中心に挿入される中心板部と、その中心板部との間で捲回中心の一方の片側にある正電極箔の積層を挟みこむ第１外側板部と、その中心板部との間で捲回中心の他方の片側にある正電極箔の積層を挟みこむ第２外側板部を有し、中心板部と第１外側板部同士ならびに中心板部と第２外側板部同士が塑性変形して一方の板部と正電極箔の積層が他方の板部に没入しており、
負極端子は、捲回電極の捲回中心に挿入される中心板部と、その中心板部との間で捲回中心の一方の片側にある負電極箔の積層を挟みこむ第１外側板部と、その中心板部との間で捲回中心の他方の片側にある負電極箔の積層を挟みこむ第２外側板部を有し、中心板部と第１外側板部同士ならびに中心板部と第２外側板部同士が塑性変形して一方の板部と負電極箔の積層が他方の板部に没入していることを特徴とする蓄電装置。
【請求項３】
正極端子は一枚の板材が折り曲げられて形成されており、負極端子は他の一枚の板材が折り曲げられて形成されていることを特徴とする請求項１または２の蓄電装置。
【請求項４】
絶縁シートと正極シートと絶縁シートと負極シートの組が積層された積層電極と、正極シートの正電極箔の積層に接合された正極端子と、負極シートの負電極箔の積層に接合された負極端子を有する蓄電装置の製造方法であり、
正電極箔の一部を除外して正極性の電解質を塗布して正極シートを形成する工程と、
負電極箔の一部を除外して負極性の電解質を塗布して負極シートを形成する工程と、
電解質が塗布されていない正電極箔と電解質が塗布されていない負電極箔が離反する位置関係で、絶縁シートと正極シートと絶縁シートと負極シートの組を積層する工程と、
正電極箔の積層を２層の板部の間に挿入し、その２層の板部をかしめて一方の板部と正電極箔の積層を他方の板部に没入させる工程と、
負電極箔の積層を２層の板部の間に挿入し、その２層の板部をかしめて一方の板部と負電極箔の積層を他方の板部に没入させる工程を有する蓄電装置の製造方法。
【請求項５】
長尺絶縁シートと長尺正極シートと長尺絶縁シートと長尺負極シートの組が捲回された捲回電極と、正極シートの正電極箔の積層に接合された正極端子と、負極シートの負電極箔の積層に接合された負極端子を備えた蓄電装置の製造方法であり、
長尺正電極箔の一辺に沿った部分を除外して正極性の電解質を塗布して長尺正極シートを形成する工程と、
長尺負電極箔の一辺に沿った部分を除外して負極性の電解質を塗布して長尺負極シートを形成する工程と、
正電極箔が露出して突出する辺と負電極箔が露出して突出する辺が両側に位置する位置関係で、長尺絶縁シートと長尺正極シートと長尺絶縁シートと長尺負極シートの組を捲回して捲回電極を形成する工程と、
一枚の板材を折り曲げて、捲回電極の捲回中心に挿入する中心板部と、その中心板部との間で捲回中心の一方の片側にある正電極箔の積層を挟みこむ第１外側板部と、その中心板部との間で捲回中心の他方の片側にある正電極箔の積層を挟みこむ第２外側板部を有する正極端子を用意し、捲回中心の一方の片側にある正電極箔の積層を中心板部と第１外側板部の間に挿入し、その２層の板部をかしめて一方の板部と正電極箔の積層を他方の板部に没入させ、捲回中心の他方の片側にある正電極箔の積層を中心板部と第２外側板部の間に挿入し、その２層の板部をかしめて一方の板部と正電極箔の積層を他方の板部に没入させる工程と、
一枚の板材を折り曲げて、捲回電極の捲回中心に挿入する中心板部と、その中心板部との間で捲回中心の一方の片側にある負電極箔の積層を挟みこむ第１外側板部と、その中心板部との間で捲回中心の他方の片側にある負電極箔の積層を挟みこむ第２外側板部を有する負極端子を用意し、捲回中心の一方の片側にある負電極箔の積層を中心板部と第１外側板部の間に挿入し、その２層の板部をかしめて一方の板部と負電極箔の積層を他方の板部に没入させ、捲回中心の他方の片側にある負電極箔の積層を中心板部と第２外側板部の間に挿入し、その２層の板部をかしめて一方の板部と負電極箔の積層を他方の板部に没入させる工程を有する蓄電装置の製造方法。
【発明の詳細な説明】
【０００１】
【発明の属する技術分野】本発明は、電気化学反応を利用して充放電する電池や誘電現象を利用して充放電するコンデンサ等の蓄電装置に関し、特に蓄電装置の電極箔と端子を接合する技術に関する。
【０００２】
【従来の技術】板厚の薄い箔状の金属板を積層又は捲回した電極を利用して、電気自動車やモバイル機器等に使用される大容量の蓄電装置を実現する技術が開発されている。正電極となる箔状の金属板（以下、正電極箔という）に正極性の電解質を塗布して正極シートとし、負電極となる箔状の金属板（以下、負電極箔という）に負極性の電解質を塗布して負極シートとする。絶縁シートと正極シートと絶縁シートと負極シートの組を積層することによって電極を形成する。短尺のシートの組を積層することによって積層電極を形成することもあれば、長尺のシートの組を捲回することによって捲回電極を形成することもある。長尺シートの組を捲回することによって、実質的には絶縁シートと正極シートと絶縁シートと負極シートの積層構造を得ることができる。
積層枚数や捲回回数を増やすことによって、コンパクトに収容できて大容量の電力を蓄電することができる電極が得られる。
【０００３】
積層電極（捲回電極も積層電極の１種ということができる）を外部機器と接合するために、正極端子と負極端子が利用される。正極端子は正電極箔に接合され、負極端子は負電極箔に接合される。
電極箔（以下、正極と負極に共通する事象については正負の文字を省略する）は薄く、端子に比して抵抗が高い。蓄電装置の内部抵抗を下げるためには、電極箔の一箇所が端子に接合されているだけでは足らず、電極箔が随所で端子に接合されていることが好ましい。そこで、電極箔の一部には電解質を塗布しないで電極箔を露出させておき、電解質が塗布されていないために露出する正電極箔と負電極箔が離反する位置関係で、絶縁シートと正極シートと絶縁シートと負極シートの組を積層して積層電極を形成する。この結果、絶縁シートの辺から正電極箔が露出して突出することによって正電極箔の積層が形成され、それとは異なる位置で、絶縁シートの辺から負電極箔が露出して突出することによって負電極箔の積層が形成される。捲回電極の場合には、電解質が塗布されていないために露出する正電極箔と負電極箔が捲回電極の両サイドに位置する位置関係で、長尺絶縁シートと長尺正極シートと長尺絶縁シートと長尺負極シートの組を旋回して捲回電極を形成する。この結果、捲回電極の片側から正電極箔が露出して突出することによって捲回中心の両側に正電極箔の積層が形成され、捲回電極の他方の片側から負電極箔が露出して突出することによって捲回中心の両側に負電極箔の積層が形成される。
電極箔の積層に端子を接合すると、電極箔が随所で端子に接合されることになり、蓄電装置の内部抵抗が下げられる。
【０００４】
従来では、積層電極箔と端子を溶接して接合している。積層電極箔と端子を溶接しやすくするために、端子を形成する２枚の板部に予め凹凸を設けておき、凹凸のある２枚の板部の間に積層電極箔を挟み込んでから溶接する技術が特許文献１に記載されている。特許文献１には、凹凸のある２枚の板部間に積層電極箔を挟み込んでから、ピンやはとめ等の部材を利用して接合する技術も開示されている。
【０００５】
【特許文献１】
特開平１０−２７００４８号公報
【０００６】
【発明が解決しようとする課題】積層電極箔と端子を溶接して接合する場合、溶接作業に長時間を要し、大掛かりな設備を必要とし、大エネルギーを必要とする。またスパッタ等の副生成物が蓄電装置の性能の劣化を招く。短時間で安価に実施できる接合技術が必要とされている。
積層電極箔と端子をピンやはとめ等の部材を利用して接合する場合、必要部品数が増大する。また通常は、端子や金属箔の表面に酸化膜が形成されている。酸化膜で覆われた金属表面同士を重ねあわせて密着させても、接触抵抗を十分に下げることができない。ピンやはとめ等の部材を利用して接合する技術では、金属表面の酸化膜を破って金属表面同士を密着させることができない。
【０００７】
本発明は、上記の問題点に鑑みてなされたものであり、短時間で安価に実施できる機械加工技術によって、金属表面の酸化膜を破って金属表面同士を密着させて積層された電極箔同士の接触抵抗と電極箔と端子の接触抵抗を低下させることができる接合技術を提供することを目的に開発された。
【０００８】
【課題を解決するための手段と作用】請求項１の蓄電装置は、絶縁シートと正極シートと絶縁シートと負極シートの組が積層された積層電極を有する。この積層電極では、絶縁シートの辺から正極シートの正電極箔が突出して正電極箔の積層が形成されている。また、正電極箔の積層とは異なる位置において、絶縁シートの辺から負極シートの負電極箔が突出して負電極箔の積層が形成されている。正電極箔の積層には正極端子が接合されており、負電極箔の積層には負極端子が接合されている。
正電極箔の積層は２層の板部の間に挟みこまれており、その２層の板部が塑性変形して一方の板部と正電極箔の積層が他方の板部に没入することによって正極端子に接合されている。同様に、負電極箔の積層は２層の板部の間に挟みこまれており、その２層の板部が塑性変形して一方の板部と負電極箔の積層が他方の板部に没入することによって負極端子に接合されている。
電極箔の積層を挟持する２層の板部の双方が端子であることが好ましいが、一方の板部は専ら機械的接合にのみ寄与し、電気的接続に寄与しないものであってもよい。電解質が塗布されていないために露出する正電極箔の積層と負電極箔の積層は、絶縁シートの向かい合う辺に沿って形成されることが好ましいが、離反して相互に接触しない位置関係であればよく、同一辺のなかに正電極箔の積層と負電極箔の積層を形成することもできる。
【０００９】
上記の蓄電装置では、２層の板部が塑性変形して一方の板部と電極箔の積層が他方の板部に没入することによって、積層電極箔が２層の板部の間に挟まれた状態で機械的に接合されており、積層電極箔と端子は機械的に強固に接合されている。機械的強度は、主として２層の板部の接合構造によっており、積層電極箔に過大な負荷をかけないで、必要な接合強度を得ることができる。一方の板部と積層電極箔が塑性変形して他方の板部に没入する過程で、電極箔同士ならびに電極箔と端子はよく密着するに至っている。一方の板部と積層電極箔が塑性変形して他方の板部に没入する過程で、電極箔は引き伸ばされて表面に形成されていた酸化膜が破壊され、金属表面同士が直接に密着する状態が得られている。さらに、電極箔は引き伸ばされて接合しており、接触面積が増大している。本構造では、電極箔同士ならびに電極箔と端子の接触面積が広く、酸化膜が介在せずに電極箔同士ならびに電極箔と端子がよく密着していることから、蓄電装置の内部抵抗が低い。例えばポンチとダイを用いてかしめ加工することによって２層の板部を容易に塑性変形することができ、短時間で安価に積層電極箔と端子を接合することができる。
【００１０】
請求項２に示されるように、長尺絶縁シートと長尺正極シートと長尺絶縁シートと長尺負極シートの組を捲回して形成した捲回電極を利用することもできる。この場合、長尺絶縁シートの一方の長辺から正極シートの正電極箔が突出している。長尺絶縁シートの一方の長辺から突出する正電極箔が捲回されることによって、捲回中心の両側に正電極箔の積層が形成されている。また長尺絶縁シートの他方の長辺から負極シートの負電極箔が突出している。長尺絶縁シートの他方の長辺から突出する負電極箔が捲回されることによって、捲回中心の両側に負電極箔の積層が形成されている。正電極箔の積層には正極端子が接合されており、負電極箔の積層には負極端子が接合されている。
正極端子は、捲回電極の捲回中心に挿入される中心板部と、その中心板部との間で捲回中心の一方の片側にある正電極箔の積層を挟みこむ第１外側板部と、その中心板部との間で捲回中心の他方の片側にある正電極箔の積層を挟みこむ第２外側板部を有している。正極端子の中心板部と第１外側板部同士ならびに中心板部と第２外側板部同士が塑性変形して一方の板部と正電極箔の積層が他方の板部に没入している。
負極端子も、捲回電極の捲回中心に挿入される中心板部と、その中心板部との間で捲回中心の一方の片側にある負電極箔の積層を挟みこむ第１外側板部と、その中心板部との間で捲回中心の他方の片側にある負電極箔の積層を挟みこむ第２外側板部を有している。負極端子の中心板部と第１外側板部同士ならびに中心板部と第２外側板部同士が塑性変形して一方の板部と負電極箔の積層が他方の板部に没入している。
【００１１】
上記の構造でも、電極箔同士ならびに電極箔と端子の接触面積が広く、酸化膜が介在せずに電極箔同士ならびに電極箔と端子がよく密着していることから蓄電装置の内部抵抗が低い。
２層の板部の間に挟み込まれる積層電極箔の中心部分の電極箔は、他の電極箔を介して端子に接続される。例えば、１００回捲きの捲回電極を例にして説明する。この場合、捲回中心の片側に１００層の電極箔が積層され、捲回中心の反対の片側に１００層の電極箔が積層され、あわせて２００層の電極箔が積層されている。
２００層の積層電極箔を１層の端子に接合する場合、端子の反対側に位置する電極箔は１９９層の電極箔を介して端子に接合される。この場合、端子の反対側に位置する電極箔と端子間の電気抵抗は高くなってしまう。２００層の積層電極箔を２層の端子板の間に接合する場合、中心の電極箔は９９層の電極箔を介して端子に接合される。この場合、端子間に存在する電極箔と端子間の電気抵抗は低くなる。２００層の積層電極箔を捲回中心の一方の片側に位置する１００層の積層電極箔と捲回中心の他方の片側に位置する１００層の積層電極箔に二分し、１００層の積層電極箔を２層の端子板の間に接合する場合、中心の電極箔は４９層の電極箔を介して端子に接合される。この場合、端子間に存在する電極箔と端子間の電気抵抗は最も低くなる。
上記の構造では、電極箔同士ならびに電極箔と端子が、酸化膜が介在しないで金属表面同士が直接に広い面積で密着している他、積層電極箔が二分され、二分された積層電極箔ごとに２層の板部間に接合されるために、蓄電装置の内部抵抗が非常に低い。
【００１２】
一枚の板材を折り曲げて正極端子を形成し、他の一枚の板材を折り曲げて負極端子を形成することが好ましい（請求項３）。この場合、端子が１枚の板材で形成されているために、蓄電装置を構成する部品点数が低減され、蓄電装置をより低コストで構成することができる。また、請求項１の場合、積層電極箔を挟持する一方の板部は端子とは別の板部であってもよいが、一枚の板材が折り曲げられて両側の板部が形成されていると、前記した事象によって蓄電装置の内部抵抗は低く抑えられる。前記した例の場合、一方の板部を端子とは別の板部とすると、端子から２００層目の電極箔は１９９層の電極箔を介して端子に接合されるのに対し、両側の板部が端子であれば、最大でも９９層の電極箔を介して端子に接合されることになり、電気抵抗が低く抑えられる。
【００１３】
本発明はまた、蓄電装置の製造方法も創作した。請求項４の発明は、絶縁シートと正極シートと絶縁シートと負極シートの組が積層された積層電極と、正極シートの正電極箔の積層に接合された正極端子と、負極シートの負電極箔の積層に接合された負極端子を有する蓄電装置の製造方法に関する。この方法では、正電極箔の一部を除外して正極性の電解質を塗布して正極シートを形成する工程と、負電極箔の一部を除外して負極性の電解質を塗布して負極シートを形成する工程と、電解質が塗布されていない正電極箔と電解質が塗布されていない負電極箔が離反する位置関係で、絶縁シートと正極シートと絶縁シートと負極シートの組を積層する工程を実行して積層電極を形成する。
積層電極が形成されたら正電極箔の積層を２層の板部の間に挿入し、その２層の板部をかしめて一方の板部と正電極箔の積層を他方の板部に没入させる工程と、負電極箔の積層を２層の板部の間に挿入し、その２層の板部をかしめて一方の板部と負電極箔の積層を他方の板部に没入させる工程を実行する。
【００１４】
電解質が塗布されていない正電極箔の積層と電解質が塗布されていない負電極箔の積層は、絶縁シートの向かい合う辺に沿って形成されることが好ましいが、離反する位置関係であればよく、同一辺のなかに正電極箔の積層と負電極箔の積層を形成することもできる。電極箔の積層を挟持する２層の板部の双方が端子であることが好ましいが、一方の板部は専ら機械的接合にのみ寄与し、電気的接続に寄与しないものであってもよい。
この製造方法によると、一方の板部と積層電極箔が塑性変形して他方の板部に没入する過程で、電極箔は引き伸ばされて表面に形成されていた酸化膜が破壊され、金属表面同士が直接に密着する状態が得られる。さらに、電極箔は引き伸ばされて接合しており、接触面積が増大する。電極箔同士ならびに電極箔と端子の接触面積が広く確保され、酸化膜が介在せずに電極箔同士ならびに電極箔と端子が広い面積でよく密着することから蓄電装置の内部抵抗が低く抑えられる。
【００１５】
捲回電極を利用する場合には、長尺正電極箔の一辺に沿った部分を除外して正極性の電解質を塗布して長尺正極シートを形成する工程と、長尺負電極箔の一辺に沿った部分を除外して負極性の電解質を塗布して長尺負極シートを形成する工程と、正電極箔が露出して突出する辺と負電極箔が露出して突出する辺が長尺絶縁シートの両側に位置する位置関係で、長尺絶縁シートと長尺正極シートと長尺絶縁シートと長尺負極シートの組を捲回して捲回電極を形成する。また、一枚の板材を折り曲げて、捲回電極の捲回中心に挿入する中心板部と、その中心板部との間で捲回中心の一方の片側にある正電極箔の積層を挟みこむ第１外側板部と、その中心板部との間で捲回中心の他方の片側にある正電極箔の積層を挟みこむ第２外側板部を有する正極端子を用意する。さらに、捲回中心の一方の片側にある正電極箔の積層を中心板部と第１外側板部の間に挿入し、その２層の板部をかしめて一方の板部と正電極箔の積層を他方の板部に没入させ、捲回中心の他方の片側にある正電極箔の積層を中心板部と第２外側板部の間に挿入し、その２層の板部をかしめて一方の板部と正電極箔の積層を他方の板部に没入させる。同様に、一枚の板材を折り曲げて、捲回電極の捲回中心に挿入する中心板部と、その中心板部との間で捲回中心の一方の片側にある負電極箔の積層を挟みこむ第１外側板部と、その中心板部との間で捲回中心の他方の片側にある負電極箔の積層を挟みこむ第２外側板部を有する負極端子を用意する。捲回中心の一方の片側にある負電極箔の積層を中心板部と第１外側板部の間に挿入し、その２層の板部をかしめて一方の板部と負電極箔の積層を他方の板部に没入させ、捲回中心の他方の片側にある負電極箔の積層を中心板部と第２外側板部の間に挿入し、その２層の板部をかしめて一方の板部と負電極箔の積層を他方の板部に没入させる。
【００１６】
この方法によると、一方の板部と積層電極箔が塑性変形して他方の板部に没入する過程で、電極箔は引き伸ばされて表面に形成されていた酸化膜が破壊され、金属表面同士が直接に密着する状態が得られる。さらに、電極箔は引き伸ばされて接合するために接触面積が増大する。さらに、捲回されて積層された電極箔が二分され、二分された積層電極箔ごとに端子の２層の板部間に接合されるために、蓄電装置の内部抵抗が非常に低くなる。
【００１７】
【発明の実施の形態】以下に説明する実施例の主要な特徴を次に列記する。
（形態１）正極シートは、正極端子に接合する辺の沿った部分を除外して正電極箔の両面に正極性の電解質が塗布されている。負極シートは、負極端子に接合する辺に沿った部分を除外して負電極箔の両面に負極性の電解質が塗布されている。
（形態２）電極箔の積層を挟持する２層の板部は、ポンチとダイの間に挟み込まれてかしめられる。２層の板部は、積層電極箔を塑性変形させながら自らも塑性変形して電極箔の積層と密着する。
【００１８】
【実施例】以下、本発明を添付図面を参照しながら詳細に説明する。
（第１実施例）
図１に、長尺絶縁シート２と長尺正極シート４と長尺絶縁シート６と長尺負極シート８が捲回されて形成された捲回電極１を模式的に示す。
正極シート４は、長尺アルミニウム箔（正電極箔）４ｂに、リチウムとコバルトを主成分とする混合物を溶剤に懸濁してスラリー状にした正極性の電解質を、両面に塗布して形成されている。長尺アルミニウム箔（正電極箔）４ｂの一方の長辺４ｃに沿った部分には電解質が塗布されず、正電極箔４ｂが露出している。
負極シート８は、長尺銅箔（負電極箔）８ｂに、炭素を主成分とする混合物を溶剤に懸濁してスラリー状にした負極性の電解質を、両面に塗布して形成されている。長尺銅箔（負電極箔）８ｂの他方の長辺８ｄに沿った部分には、電解質が塗布されず、負電極箔８ｂが露出している。負極シート８の電解質の塗布部８ａの幅と、正極シート４の電解質の塗布部４ａの幅は等しく、長尺絶縁シート２，６の幅もまた等しい。
【００１９】
長尺絶縁シート２と長尺正極シート４と長尺絶縁シート６と長尺負極シート８の組は、４枚一組に重ね合わされて捲回される。このとき、正極シート４は、電解質で塗布されないために正電極箔４ｂが露出する部分が、絶縁シート２、６の第１辺２ｃ、６ｃから突出するように配置される。負極シート８は、電解質で塗布されないために負電極箔８ｂが露出する部分が、絶縁シート２、６の第２辺２ｄ、６ｄから突出するように配置される。前記の位置関係を保って、長尺絶縁シート２と長尺正極シート４と長尺絶縁シート６と長尺負極シート８の４枚が一組となって捲回される。捲回電極１の断面はほぼ扁平な陸上競技場のトラック形状であり、捲回中心には空間１０が確保されている。
扁平な捲回電極１の一方の端面には、幅Ｗ１の範囲で絶縁シート２、６の第１辺２ｃ、６ｃから突出する正電極箔４ｂの露出部が渦巻き状に形成される。渦巻き状に捲回された正電極箔４ｂは、捲回中心１０の片側に捲回回数に等しい層数だけ重なった積層４ｅ，４ｆとなる。正電極箔４ｂの積層４ｅは捲回中心１０の一方の片側に形成され、正電極箔４ｂの積層４ｆは捲回中心１０の他方の片側に形成される。
扁平な捲回電極１の他方の端面には、幅Ｗ２の範囲で絶縁シート２、６の第２辺２ｄ、６ｄから突出する負電極箔８ｂの露出部が渦巻き状に形成される。渦巻き状に捲回された正電極箔８ｂは、捲回中心１０の片側に捲回回数に等しい層数だけ重なった積層８ｅ，８ｆとなる（隠れるために図示されていない）。負電極箔８ｂの積層８ｅは捲回中心１０の一方の片側に形成され、負電極箔８ｂの積層８ｆは捲回中心１０の他方の片側に形成される。
正電極箔４ｂの積層４ｅ，４ｆと、負電極箔８ｂの積層８ｅ，８ｆは、離反した位置にあり、電気的に絶縁されている。
【００２０】
図２（ａ）に、正電極箔４ｂの積層４ｅ，４ｆに接合する正極端子２０の一例を示し、図２（ｂ）に、負電極箔８ｂの積層８ｅ，８ｆに接合する負極端子８０の一例を示す。正極端子２０は一枚のアルミニウム板を折り曲げて形成されており、負極端子８０は一枚の銅板を折り曲げて形成される。正極端子２０を形成するアルミニウム板と、負極端子８０を形成する銅板のそれぞれの板厚は、正電極箔４ｂと負電極箔８ｂのそれぞれの板厚よりも厚い。
正極端子２０は、捲回中心１０に挿入される中央部３０と、中央部３０の一方の側辺から折り曲げられた第１の外側板部２４と、中央部３０の他方の側辺から折り曲げられたに第２の外側板部２８が設けられている。中央部３０は、２層の板部２２，２６で形成されている。中央板部２２と第１外側板部２４は、外側から押圧することによって対向する面を接触させることができる。中央板部２６と第２外側板部２８は、中央部３０を中心として中央板部２２と第１外側板部２４と対称な形状になっており、中央板部２２と第１外側板部２４と同様に、外側から押圧することによって対向する面が接触することができる。本実施例では、捲回中心１０の幅Ｗ３が広いために、中央部３０を２層の板部２２，２６で形成しているが、捲回中心１０の幅Ｗ３が狭い場合には、１層の板部で中央部３０を形成してもよい。
負極端子８０は、正極端子２０の鏡像となる形状を有しており、捲回中心１０に挿入される中央板部８２，８６で形成される中央部９０と、中央部の一方の側辺に連なる第１外側板部８４と、中央部９０の他方の側辺に連なる第２外側板部８８が設けられている。
【００２１】
図３に示すように、捲回電極１の捲回中心１０に正極端子２０の中央部３０を挿入すると、捲回中心１０の一方の片側に存在する正電極箔４ｂの積層４ｅは、２層の板部２２，２４間に挿入される。また捲回中心１０の他方の片側に存在する正電極箔４ｂの積層４ｆは、２層の板部２６，２８間に挿入される。
捲回電極１の一方の端面に形成されている正電極箔４ｂの積層は、捲回中心１０で二分され、一方の積層４ｅは２層の板部２２，２４間に挿入されて挟持され、他方の積層４ｆは２層の板部２６，２８間に挿入されて挟持される。
捲回電極１の捲回中心１０に負極端子８０の中央部９０を挿入すると、捲回中心１０の一方の片側に存在する負電極箔８ｂの積層８ｅは、２層の板部８２，８４間に挿入される。また、捲回中心１０の他方の片側に存在する負電極箔８ｂの積層８ｆは、２層の板部８６，８８間に挿入される。
捲回電極１の他方の端面に形成されている負電極箔８ｂの積層は、捲回中心１０で二分され、一方の積層８ｅは２層の板部８２，８４間に挿入されて挟持され、他方の積層８ｆは２層の板部８６，８８間に挿入されて挟持される。
【００２２】
捲回電極１の正電極箔４ｂの積層４ｅを正極端子２０の板部２２，２４間に挟み込んで挟持し、積層４ｆを板部２６，２８間に挟み込んで挟持した状態の断面を図３に示す。尚、ここに示される絶縁シート２と正極シート４と絶縁シート６と負極シート８の捲回回数（積層枚数）は、図示の明瞭化のために実際よりも少なく示されている。また、電解質の塗布層の厚みは図示されていない。正電極箔４ｂの積層４ｅ，４ｆでは電解質の塗布層の厚みが存在しないために、捲回中心１０の幅Ｗ３がゼロであっても、正極端子２０の中央部３０を積層４ｅ，４ｆ間に挿入することができる。
捲回電極１の負電極箔部８ｂについても、積層８ｅが２層の板部８２，８４間に挿入され、他方の積層８ｆは２層の板部８６，８８間に挿入されている。
【００２３】
図４に示すように、正電極箔の積層４ｅを挟持する正極端子２０の板部２２，２４は、図示されないポンチとダイの間に挟み込まれてかしめられて塑性変形する。正電極箔の積層４ｆを挟む正極端子２０の板部２６，２８は、図示されないポンチとダイの間に挟み込まれてかしめられて塑性変形する。板部２２，２４がかしめ加工されて塑性変形して接合され、板部２６，２８がかしめ加工されて塑性変形して接合された状態の断面を図４に示す。またかしめられた塑性変形した部分の拡大断面図を図５に示す。
図５に示すように、凹部３２の底縁に沿って板部２６が裏面側に膨出するようにかしめると（２６ａ参照）、底縁の上方では板部２６が薄肉（２８ｂ参照）になり、そこに積層電極箔と板部２８が塑性変形して食い込む（２８ｂ参照）。板部２６が薄肉部２６ｂに板部２８の膨出部２８ｂが食い込むと、２層の板部２６と２８は強固に機械的に接合される。正電極箔の積層４ｆに過大な負荷をかけることなく、２層の板部２６と２８は強固に接合することができ、脆弱で破れやすい正電極箔を破ることなく強固に正極端子２０に接合することができる。
また、正電極箔の積層４ｆは、深さ方向に引き伸ばされ（４ｆａ参照）、底面に沿って引き伸ばされる（４ｆｂ参照）。特に、底面では、底面に沿って引き伸ばされながら面直方向に圧接されるために、電極箔同士ならびに電極箔と端子がよく密接する。接触面積が増大し、電極箔同士ならびに電極箔と端子がよく密接するので接触抵抗は低くなる。さらに、電極箔と端子表面に形成されている酸化膜は伸びにくいために、電極箔と端子が塑性変形するときに破壊される。電極箔同士ならびに電極箔と端子は、酸化膜を介さないで金属表面同士が直接に密着するために、接触抵抗は非常に低くなる。
正電極箔４ｂの積層４ｅを挟む正極端子２０の板部２２，２４も、ポンチとダイでかしめられて接合される。負電極箔部８ｂついても同様に、負電極箔８ｂの積層８ｅを挟む負極端子８０の板部８２，８４、ポンチとダイでかしめられて接合され、負電極箔８ｂの積層８ｆを挟む負極端子８０の板部８６，８８は、ポンチとダイでかしめられて接合される。
【００２４】
本実施例における捲回電極１と正極端子２０及び負極端子８０は、捲回電極１の端面の電極箔４ｂ、８ｂの積層部分を２等分し、それぞれの端子が有する２層の板部の間に、２等分された電極箔４ｂ、８ｂの積層部分４ｅ，４ｆ，８ｅ，８ｆを挟み込んだ状態で、かしめ加工して接合する。端子の板部はかしめ加工の際に塑性変形し、一方の板部が他方の板部に没入して接合されるが、このとき、電極箔の積層も塑性変形し、端子の板部に圧着されるため、充分な接合強度が得られる。又、２層の板部の間に挟み込まれる電極箔の積層枚数が２等分されているために、全ての電極箔を２層の板部で接合する場合に比較すると、通電抵抗を低く押さえることができる。電極箔と端子間の通電抵抗は、かしめを行うことにより、電極箔間の隙間がなくなって電極箔同士が圧着すること、端子と電極箔の積層が広い面積で圧着すること、更には、電極箔の表面に形成されている酸化膜が破れて接合されること等により、非常に低減される。即ち、充分な接合強度と低減された通電抵抗を持つ蓄電装置を得ることができる。
かしめ加工は、溶接して接合するのに比して、短時間で処理でき、安価な設備で実施でき、接合処理に必要なランニングコストも低いため、蓄電装置を安価に短時間で製造することが可能となる
【００２５】
（第２実施例）  図６に、本実施例に係わる積層電極を模式的に示す。本実施例の積層電極４１は、絶縁シート４２と正極シート４４と絶縁シート４６と負極シート４８の組が積層されて形成されている。
正極シート４４は、アルミニウム箔４４ｂの両面に正極性を示す電解質が塗布されて形成されている。アルミニウム箔４４ｂの一方の長辺４４ｃに沿った部分には、電解質が塗布されず、正電極箔４ｂが露出している。負極シート４８は、銅箔４８ｂの両面に負極性を示す電解質が塗布されて形成されている。銅箔４８ｂの一方の長辺４８ｄに沿った部分には、電解質が塗布されず、負電極箔４８ｂが露出している。負極シート４８の電解質の塗布部の幅と、正極シート４４の電解質の塗布部の幅は等しく、絶縁シート４２、４４の幅もまた等しい。負極シート４８と正極シート４４と絶縁シート４２と絶縁シート４４の長さはすべて等しい。
正極シート４４は、電解質が塗布されていないために正電極箔４４ｂが露出する部分が、絶縁シート４２、４４の第１辺４２ｃ、４６ｃから突出するように配置される。負極シート４８は、電解質が塗布されていないために負電極箔４８ｂが露出する部分が、絶縁シート４２、４６の第２辺４２ｄ、４６ｄから突出するように配置される。前記の位置関係を保って、絶縁シート４２と正極シート４４と絶縁シート４６と負極シート４８は４枚が一組となって積層される。尚、ここに示される積層電極４１の積層枚数は、図示の明瞭化ために実際よりも少なく示されている。
【００２６】
図７（ａ）に、積層電極４１の正電極箔４４の積層４４ｂに接合する正極端子３４の一例を示し、図７（ｂ）に、負電極箔４８の積層４８ｂに接合する負極端子９４の一例を示す。正極端子３４にはアルミニウムの板材が用いられ、負極端子９４には銅の板材が用いられている。正極端子３４の両側辺には、対向して一対となる２層の板部３６，３８が折り曲げられて形成されている。負極端子９４は、正極端子３４の鏡像となる形状であって、対向して一対となる２層の板部９６，９８が折り曲げられて形成されている。正極端子３４の２層の板部３６，３８は、絶縁シート４２，４６の第１辺４２ｃ、４６ｃから突出する正電極箔４４ｂの積層を挟みこむ。負極端子９４の板部９６，９８は、絶縁シート４２，４６の第２辺４２ｄ、４６ｄから突出する負電極箔４８ｂの積層を挟みこむ。
【００２７】
正電極箔の積層４４ｂを挟み込んだ正極端子３４の２層の板部３６，３８は、かしめによって塑性変形する。板部３６と板部３８は、いずれか一方の板部が間に挟み込まれた正電極箔部の積層４４ｂと共に他方の板部に没入して、正電極の積層４４ｂと正極端子３４が接合される。没入する側の板部の選択は、かしめ設備と積層電極４１と正極端子３４の配置等を考慮して、板部３６と板部３８のいずれの側も選択することができる。
負電極箔の積層４８ｂについても同様に、負極端子９４にかしめによって接合されて、積層電極４１の負電極部４８ｂと負極端子９４との接合が完了する。
【００２８】
本実施例の端子は、２層の板部の間に、電極箔の積層の全部を挟み込むためにかしめ加工回数を少なくすることができ、より迅速に電極箔と端子を接合することができる。本実施例は、積層された電極シートと絶縁シートの積層枚数の少ない蓄電装置に適している。
【００２９】
（第３実施例）
本実施例に係わる捲回電極と端子がかしめによって接合された状態を、図８に示す。捲回電極の構成およびかしめによる接合方法は実施例１と同様であり、同一符号を付与して重複説明を割愛する。
この実施例の正極端子６０は、捲回中心１０に挿入される中央部６２を備えている。中央部６２は、２層の板部６４，６６を有している。捲回電極１の正電極箔４ｂの捲回中心１０に中央部６２が挿入されると、板部６４，６６によって、正電極箔４ｂの積層が４ｅと４ｆに２分割される。正電極箔４ｂの積層４ｅを挟んで板部６６に対向する位置に金属板７０が配置されて、かしめが行われる。金属板７０と板部６６は塑性変形して、金属板７０と正電極箔４ｂの積層４ｅが板部６６に没入し、正電極箔４ｂの積層４ｅが、正極端子６０に接合される。さらに正電極箔４ｂの積層４ｆを挟んで板部６４に対向する位置に金属板５８が配置されて、かしめが行われる。金属板６８と板部６４は塑性変形して、金属板６８と正電極箔４ｂの積層４ｆが板部６４に没入し、正電極箔４ｂの積層４ｆが、正極端子６０に接合される。
【００３０】
本実施例における端子６０と電極箔の積層４ｅ，４ｆの接合方法では、電極箔の積層４ｅ，４ｆを挟み込む２層の金属板のうち、一方の板部は端子とは異なる金属板を用いている。端子とは異なる板厚や材質の金属板６８，７０を用いてかしめ加工を行うことができるので、接合部分の強度やかしめ部分の加工特性を容易に変更することができる。
【００３１】
図９は、さらに別の端子と電極の接合状態を示している。この場合、電極７２が端子７４に巻き込まれて挟まれた状態で、かしめが行われる。電極７２は、端子７４に巻き込まれているために、電極７２と端子７４の接触面積が更に増加して通電抵抗を下げることができる。このようにしても、電極７２と端子７４を接合することができる。
【００３２】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。例えば、実施例では、かしめ加工して端子と電極箔を接合する技術を説明したが、かしめ加工以外の方法によって電極箔を挟んだ端子を塑性変形させて２層の板部同士を機械的に接合させても良い。電極箔や端子の素材や、電極箔に塗布する電解質の組成は、蓄電装置に求められる特性を実現するものであればよく、多種のなかから選択することができる。
【００３３】
【発明の効果】本願発明の蓄電装置によると、２層の板部で電極箔の積層を挟み込み、その２層の板部を塑性変形させていずれか一方の板部と電極箔の積層が他方の板部に没入した構造を実現することによって、２層の板部同士を機械的に接合させて電極箔の積層と端子を接合するために、電極箔に過大な負荷をかけることなく、電極箔の積層と端子充分な接合強度で接合することができる。又、一方の板部が他方の板部に没入する際に、電極箔同士ならびに電極箔と端子が圧着する面積が拡大し、広い範囲でよく密着することから正極端子と負極端子間の通電抵抗を下げることができる。
【図面の簡単な説明】
【図１】第１実施例の捲回電極の構造を模式的に示す図。
【図２】第１実施例の端子の構造を模式的に示す図。
【図３】第１実施例の電極箔が端子に挟み込まれた状態の断面図。
【図４】第１実施例の電極箔を挟んだ端子がかしめられた後の断面図。
【図５】かしめ部の拡大断面図。
【図６】第２実施例の積層電極の構造を模式的に示す図。
【図７】第２実施例の端子の構造を模式的に示す図。
【図８】第３実施例の電極箔を挟んだ端子がかしめられた後の断面図。
【図９】第３実施例の電極と端子のさらに別の接合状態を示す断面図。
【符号の説明】
１：捲回された電極
２，６、４２，４６：絶縁シート
４，４４：正極シート
８，４８：負極シート
１０：捲回中心
２０，３４，６０：正極端子
２２，２４，２６，２８，３６，３８，８２，８４，８６，８８，９６，９８：板部
８０，９４：負極端子
【図１】
2004273178.tif 000003
【図２】
2004273178.tif 000004
【図３】
2004273178.tif 000005
【図４】
2004273178.tif 000006
【図５】
2004273178.tif 000007
【図６】
2004273178.tif 000008
【図７】
2004273178.tif 000009
【図８】
2004273178.tif 000010
【図９】
2004273178.tif 000011